(57)【要約】【課題】視野内にゴーストが発生しにくいファインダー光学系を提供すること。【解決手段】焦点面１ａに結像された像光をミラー３ａ，３ｂで構成した正立系光学部材３を介して接眼レンズ５により観察し、前記接眼レンズ５の観察視野内に情報表示をするための表示装置７を有するファインダー光学系１００において、前記表示装置７は、前記正立系光学部材３の近傍に配置され、前記表示装置７の表示光射出面１１ｂの法線ｔと前記ファインダー光学系１００の光軸Ｉとのなす角度が鋭角となるように配置されていること。【選択図】  図１
2004226562.tif 000002
【特許請求の範囲】
【請求項１】
焦点面に結像された像光をミラーで構成した正立系光学部材を介して接眼レンズにより観察し、前記接眼レンズの観察視野内に情報表示をするための表示装置を有するファインダー光学系において、
前記表示装置は、前記正立系光学部材の近傍に配置され、前記表示装置の表示光射出面の法線と前記ファインダー光学系の光軸とのなす角度が鋭角となるように配置されていることを特徴とするファインダー光学系。
【請求項２】
前記表示光射出面の法線と前記ファインダー光学系の光軸との交点が前記表示光射出面の位置より前記焦点面側になるように前記表示装置が配置されていることを特徴とする請求請１に記載のファインダー光学系。
【請求項３】
前記正立系光学部材は互いに角度をなす二つのミラーからなり、前記表示装置はプリズムからなることを特徴とする請求項１または２に記載のファインダー光学系。
【発明の詳細な説明】
【０００１】
【発明の属する技術分野】
本発明は、カメラのファインダー光学系に関する。
【０００２】
【従来技術】
従来、一眼レフカメラにおいて焦点面に結像した被写体象を接眼レンズで観察するファインダー光学系では、接眼レンズの視野像の近傍にカメラの情報等を表示するために、表示部材を視野像やペンタプリズムの近傍に設けていた（特許文献１参照。）。また、ファインダー光学系の小型化や軽量化が要求され、小型化のためにペンタプリズムが縮小されたり、軽量化のためにペンタプリズムを複数のミラーを用いた光学部材（中空ペンタミラーとも言う）で構成したりすることが行われている（特許文献２参照。）。
【０００３】
【特許文献１】
特開平４−８５５２５号公報。
【特許文献２】
特開２００２−２６８１２８号公報。
【０００４】
【発明が解決しようとする課題】
しかし、上述のようなファインダー光学系の小型化や軽量化のために複数のミラーからなる光学部材を用い、さらにファインダー光学系内にカメラの情報等を表示する表示装置を配置した構成の場合、表示装置の表示用光学部材等がファインダ−光学系内の迷光を反射してファインダー視野内にゴーストが発生しやすくなるという問題がある。
【０００５】
例えば、図４に示す従来のファインダー光学系２００では、迷光Ｇが正立系光学部材２０３のダハ反射ミラー２０３ａに入射し、ダハ反ミラー２０３ａで反射されて表示光射出面２１１ｂに入射して、表示光射出面２１１ｂで反射された光が再度ダハ反射ミラー２０３ａで反射されて正反射ミラー２０３ｂに入射し、迷光Ｇは接眼レンズ２０５に入射し、ファインダー光学系において迷光Ｇによるゴーストが発生していた。
【０００６】
本発明は、上記問題に鑑みて行われたものであり、接眼レンズの視野内にゴーストが発生しにくいファインダー光学系を提供することを目的としている。
【０００７】
【課題を解決するための手段】
上記目的を達成するために、本発明では、焦点面に結像された像光をミラーで構成した正立系光学部材を介して接眼レンズにより観察し、前記接眼レンズの観察視野内に情報表示をするための表示装置を有するファインダー光学系において、前記表示装置は、前記正立系光学部材の近傍に配置され、前記表示装置の表示光射出面の法線と前記ファインダー光学系の光軸とのなす角度が鋭角となるように配置されていることを特徴とするファインダー光学系を提供する。
【０００８】
また、本発明のファインダー光学系では、前記表示光射出面の法線と前記ファインダー光学系の光軸との交点が前記表示光射出面の位置より前記焦点面側になるように前記表示装置が配置されていることが好ましい。
【０００９】
また、本発明のファインダー光学系では、前記正立系光学部材は互いに角度をなす二つのミラーからなり、前記表示装置はプリズムからなることが好ましい。
【００１０】
【発明の実施形態】
本発明の一実施の形態を図面を参照しつつ説明する。
【００１１】
図１は、本発明に係るファインダー光学系の断面概略構成図を示し、図２は、図１の要部拡大図であり、図３は、図１に示すファインダー光学系においてゴーストが発生しにくくなる理由を説明する図である。
【００１２】
図１は、本発明に係るファインダー光学系を一眼レフカメラに適用した例を示している。
【００１３】
図１〜図３において、不図示の撮影レンズを介して被写体からの光が導かれ焦点板１の焦点面１ａに結像する。焦点板１の上方には、周知のペンタプリズムに代わって、ペンタプリズムのダハ反射面に相当する位置に反射ミラー（以後、ダハ反射ミラーと記す）３ａが配置され、ペンタプリズムのダハ反射面と所定の角度をなす反射面に相当する位置に反射ミラー（以後、正反射ミラーと記す）３ｂが配置されている。そして、これらダハ反射ミラー３ａと正反射ミラー３ｂとをカメラのレンズ側で斜め上方（図中、左上方部）で接続して外部からの光を遮光する遮光部３ｃが設けられている。また、ダハ反射ミラー３ａ、正反射ミラー３ｂ、及び遮光部３ｃのカメラの両側部は、不図示の遮光部材で接続されて外部からの光が遮光されている。正反射ミラー３ｂの近傍で焦点板１側に開口部３ｅが、ダハ反射ミラー３ａの下側でカメラのフイルム側（図中、右側）に開口部３ｄが形成されている。このようにして、ダハ反射ミラー３ａと正反射ミラー３ｂとで周知のペンタプリズムと同様の働きをし、断面視略台形状の正立系光学部材３（中空ペンタミラーとも言われる）が形成されている。
【００１４】
焦点板１の焦点面１ａに結像された被写体像からの光は、開口部３ｅより正立系光学部材３に入射し、ダハ反射ミラー３ａにより反射されて正反射ミラー３ｂに至り、正反射ミラー３ｂで反射されて接眼レンズ５に入射し、アイポイントＥＰで正立像として観察される。焦点板１からダハ反射ミラー３ａに入射する光の光軸と正反射ミラー３ｂで反射されて接眼レンズ５に向かう光の光軸とは直交している。
【００１５】
焦点板１のカメラのフイルム側であって、焦点板１と正立系光学部材３の開口部３ｅとの近傍に、接眼レンズ５の視野内にカメラの制御情報等（例えば、シャッタースピードや絞り値等）を表示する表示装置７が配置されている。表示装置７は表示素子９（例えば、液晶や発光素子）と光路変換用のプリズム１１とから形成されている。
【００１６】
表示素子９からの光はプリズム１１の斜面１１ａで反射され上方に向かい、プリズム１１の上方側の表示光射出面１１ｂから射出されて正立系光学部材３の開口部３ｅよりダハ反射ミラー３ａに入射し、ダハ反射ミラー３ａおよび正反射ミラー３ｂで反射されて開口部３ｄから射出して接眼レンズ５に入射し、アイポイントＥＰで被写体像と一緒に観察される。このようにして、ファインダー光学系１００が構成されている。
【００１７】
本実施の形態では、図２に示すように、プリズム１１の表示光射出面１１ｂの法線ｔは、ファインダー光学系１００の光軸Ｉに対して角度αをなすように配置されている。
【００１８】
図３に示すように、プリズム１１の表示光射出面１１ｂを、その法線ｔが光軸Ｉに対して傾くように配置することにより、迷光Ｇが正立系光学部材３のダハ反射ミラー３ａに入射し、ダハ反ミラー３ａで反射されて表示光射出面１１ｂに入射して、表示光射出面１１ｂで反射された光が再度ダハ反射ミラー３ａで反射されて正反射ミラー３ｂに入射することを防ぐことができる。この結果、迷光Ｇは接眼レンズ５に入射することがなく、ファインダー光学系１００において迷光Ｇによるゴーストの発生を防ぐことができる。
【００１９】
また、本実施の形態のファインダー光学系１００では、プリズム１１の表示光射出面１１ｂの法線ｔとファインダー光学系１００の光軸Ｉの交点が表示光射出面１１ｂの位置より焦点板１側（図中、焦点板１の下方）になるように構成している。このように構成することにより、表示光射出面１１ｂで反射した迷光Ｇが接眼レンズ５側に入射してゴーストになるのを防止することができる。
【００２０】
また、本実施の形態のファインダー光学系１００では、表示光射出面１１ｂの法線ｔとファインダー光学系１００の光軸Ｉの成す角度αが１度から１０度以内に設定されている。下限値未満の角度ではゴースト抑制の効果が小さく、製造誤差等で容易にゴースト抑制効果が消滅してしまう。一方、上限値を超える角度ではゴースト抑制効果は十分得ることができるが、表示光射出面１１ｂの傾きが大きくなるため表示装置７の表示光学系で収差が発生してしまいアイポイントＥＰにおいて表示装置７からの表示情報が見難くなってしまうので好ましくない。
【００２１】
なお、正立系光学部材３の構造体は、例えば樹脂成形等によって形成できるので，コストダウンや軽量化が可能となる。またダハ反射ミラー３ａと正反射ミラー３ｂには、アルミあるいは銀等が蒸着された反射面が用いられる。
【００２２】
以上、本実施の形態では正立系光学部材を大型化することなくファインダー光学系のゴーストを低減することが可能となる。
【００２３】
なお、上述の実施の形態は例に過ぎず、上述の構成や形状に限定されるものではなく、本発明の範囲内において適宜修正、変更が可能である。
【００２４】
【発明の効果】
上述のように、本発明では、接眼レンズの視野内にゴーストが発生しにくいファインダー光学系を提供することができる。
【図面の簡単な説明】
【図１】本発明に係るファインダー光学系の断面概略構成図を示す。
【図２】図１の要部拡大図である。
【図３】図１に示すファインダー光学系においてゴーストが発生しにくい理由を説明する図である。
【図４】従来のファインダー光学系のゴースト発生を示す図である。
【符号の説明】
１              焦点板
１ａ            焦点面
３、２０３      正立系光学部材
５、２０５      接眼レンズ
７            表示装置
９            表示素子
１１          プリズム
ＥＰ          アイポイント
Ｉ            ファインダー光学系の光軸
ｔ            表示光射出面の法線
Ｇ            迷光
１００、２００    ファインダー光学系
【図１】
2004226562.tif 000003
【図２】
2004226562.tif 000004
【図３】
2004226562.tif 000005
【図４】
2004226562.tif 000006